(57)【要約】【課題】  アパタイト被覆二酸化チタンによる光触媒作用を利用し、歯科インプラントへの歯垢の蓄積を効果的に抑制し、口腔内の衛生状態を向上させることができるを提供することを目的とする。【解決手段】  歯槽骨９の穿孔４に挿入され、歯肉縁８下に埋設されるフィクスチャー３と、フィクスチャー３に固着され、歯肉縁８上で歯科補綴冠１を支持するアバットメント２とを備え、歯肉縁８及び歯科補綴冠１の間に位置する上記アバットメント２の外面にハイドロキシアパタイト又はフッ化ハイドロキシアパタイトによって被覆された酸化チタンの粉末を含む被膜が形成されたコーティング部２４を有する。【選択図】  図１
2007098054.tif 000002
【特許請求の範囲】
【請求項１】
歯槽骨の穿孔に挿入され、歯肉縁下に埋設されるフィクスチャーと、
上記フィクスチャーに固着され、歯肉縁上で歯科補綴冠を支持するアバットメントとを備え、
上記歯肉縁及び上記歯科補綴冠の間に位置する上記アバットメントの外面の一部又は全部にハイドロキシアパタイトにより被覆された酸化チタンの粉末を含む被膜が形成されていることを特徴とする歯科インプラント。
【請求項２】
歯肉縁下に埋設される歯科インプラント用フィクスチャーに係合させるフィクスチャー係合部と、
歯科補綴冠が装着される歯肉縁上の補綴冠装着部とを備え、
上記歯肉縁及び上記歯科補綴冠の間に位置する外面の一部又は全部に、粉末状の酸化チタンが添加されたハイドロキシアパタイトからなる被膜が形成されていることを特徴とする歯科インプラント用アバットメント。
【請求項３】
上記ハイドロキシアパタイトが、フッ化ハイドロキシアパタイトであることを特徴とする請求項２に記載の歯科インプラント用アバットメント。
【発明の詳細な説明】
【技術分野】
【０００１】
本発明は、歯科インプラント及び歯科インプラント用アバットメントに係り、更に詳しくは、歯科治療に用いられる歯科インプラント用フィクスチャーと係合され、歯科補綴冠を支持するアバットメントの改良に関する。
【背景技術】
【０００２】
酸化チタンが殺菌作用を有していることは既に広く知られている。すなわち、酸化チタンに紫外線を照射すると、酸化チタンの光触媒作用によって、水が分解されて活性酸素が生成される。この活性酸素は、酸化力が非常に強く、有機物を分解することができる。このため、光照射された酸化チタンは、強力な殺菌作用を生じさせる。
【０００３】
このような酸化チタンの光触媒作用を歯科治療の分野に応用した従来技術として、歯科補綴物を殺菌する洗浄システムがある（例えば特許文献１）。この洗浄システムは、歯科補綴物を二酸化チタンの溶液に入れて紫外線を照射し、当該歯科補綴物を殺菌するものであるため、洗浄時には歯科補綴物を患者から取り外さなければならず、洗浄対象物は容易に着脱可能な歯科補綴物に限定される。
【０００４】
また、他の従来技術として、表面に酸化チタン膜が形成され、その光触媒作用によって歯垢を分解することができる人工歯が提案されている（例えば、特許文献２）。しかしながら、歯垢が最も蓄積されやすい不潔域は歯の根元部付近、つまり、補綴冠と歯肉縁との隙間であり、補綴冠の表面に光触媒作用をもたせても、上記不潔域に蓄積される歯垢を分解させることはできない。また、一般に口腔内には外光が届きにくく、日常的に行われている口の開閉動作では、奥歯や歯の裏側に外光が当たることはほとんどなく、人工歯の表面に酸化チタン膜を形成したとしても、前歯の表側を除けば、通常の日常生活において十分な殺菌作用を得ることは難しい。
【０００５】
一方、歯科インプラントに酸化チタンを利用した従来技術として、金属チタンの表面に酸化チタン被膜を形成した歯科インプラントがある（例えば特許文献３）。この歯科インプラントは、フィクスチャーの母材である金属チタンの表面に、多孔質の酸化チタン被膜を形成して、骨組織との生体親和性を向上させている。
【特許文献１】特開平２００３−３４６３０号公報
【特許文献２】特開平１１−１３７５７３号公報
【特許文献３】特開平１１−４３７９９号公報
【発明の開示】
【発明が解決しようとする課題】
【０００６】
一般に、歯肉縁と交差する天然歯の根元部は、歯と歯肉縁によって凹部が形成され、歯垢が付着しやすく、また、付着した歯垢をブラッシングによって除去することが難しい形状となっている。このため、歯垢が最も蓄積されやすい歯の不潔域は、歯肉縁に近い歯肉縁直上部であり、天然歯の場合であれば根元部、天然歯に補綴冠を装着している場合であれば補綴冠と歯肉縁の隙間に歯垢が蓄積されやすい。
【０００７】
歯科インプラントを使用して補綴冠を装着している場合、歯肉縁と交差しているのはアバットメントであり、歯肉縁から露出しているアバットメントの上部を覆うように歯科補綴物が装着される。このような歯科補綴物は、その下端を歯肉縁に密接させた状態で装着されていることが理想的であるが、歯科補綴物と歯肉縁との間には隙間が生じ、アバットメントの一部が露出している場合も少なくない。このため、歯科インプラントを使用している場合には、アバットメントの上記露出部に最も歯垢が蓄積しやすく、この部分が不潔域となる。
【０００８】
しかしながら、従来の歯科インプラントには、アバットメントの露出部における歯垢の蓄積を考慮して製作されたものはなかった。上述したとおり、口腔内には外光がほとんど届かず、仮に歯科治療用素材に酸化チタン等の光触媒を利用したとしても、通常の日常生活において殺菌効果を得ることは期待できない。特に、歯肉縁の直近部分には外光が当たりにくく、光触媒による殺菌効果は実際上ほとんど期待できない。このため、歯科インプラントにおける上記不潔域を殺菌するための実用的な解決策はなかった。
【０００９】
ここで、従来の歯科インプラントには、酸化チタン被膜が形成されたものがあることは上述した通りであるが、この酸化チタン被膜は、光触媒作用を利用するものではなく、骨細胞との親和性を向上させることを目的とするものであった。つまり、歯槽骨に固定されるフィクスチャーの表面に対し、生体親和性に適した酸化チタン被膜が形成されているに過ぎなかった。
【００１０】
本発明は、上記の事情に鑑みてなされたものであり、歯垢の蓄積を効果的に抑制し、口腔内の衛生状態を向上させることができる歯科インプラントを提供することを目的とする。また、このような歯科インプラントを実現するための歯科インプラント用アバットメントを提供することを目的とする。特に、酸化チタンの光触媒作用を利用して、日常生活において歯垢を分解することができる歯科インプラント及びそのアバットメントを提供することを目的とする。
【課題を解決するための手段】
【００１１】
本発明による歯科インプラントは、歯槽骨の穿孔に挿入され、歯肉縁下に埋設されるフィクスチャーと、上記フィクスチャーに固着され、歯肉縁上で歯科補綴冠を支持するアバットメントとを備え、上記歯肉縁及び上記歯科補綴冠の間に位置する上記アバットメントの外面の一部又は全部にハイドロキシアパタイトにより被覆された酸化チタンの粉末を含む被膜が形成されている。このような構成によって、歯垢が蓄積されやすい歯肉縁及び歯科補綴冠の隙間に光触媒作用をもたせることができ、例えば、歯ブラシの植毛部に出光部を有する歯ブラシを用いてブラッシングを行えば、不潔部である上記隙間部を通常の日常生活において容易に殺菌することができる。
【００１２】
また、本発明による歯科インプラント用アバットメントは、歯肉縁下に埋設される歯科インプラント用フィクスチャーに係合させるフィクスチャー係合部と、歯科補綴冠が装着される歯肉縁上の補綴冠装着部とを備え、上記歯肉縁及び上記歯科補綴冠の間に位置する外面の一部又は全部に、粉末状の酸化チタンが添加されたハイドロキシアパタイトからなる被膜が形成されている。
【００１３】
また、本発明による歯科インプラント用アバットメントは、上記ハイドロキシアパタイトとして、フッ化ハイドロキシアパタイトが用いられている。ハイドロキシアパタイトにフッ素を添加することによって、被膜の耐食性や耐摩耗性を向上させることができ、光触媒作用による上記殺菌効果を長期間維持させることができる。
【発明の効果】
【００１４】
本発明によれば、歯垢の蓄積を効果的に抑制し、口腔内の衛生状態を向上させることができる歯科インプラントを提供することができる。また、このような歯科インプラントを実現するための歯科インプラント用アバットメントを提供することができる。特に、酸化チタンの光触媒作用を利用して、日常生活において歯垢を分解することができる歯科インプラント及びそのアバットメントを提供することができる。
【発明を実施するための最良の形態】
【００１５】
図１は、本発明の実施の形態による歯科インプラントを含む歯科治療具の一例を示した図である。この歯科治療具は、歯科インプラント治療で用いられる歯科修復材であり、補綴物１及び歯科インプラント５からなる。
【００１６】
歯科インプラント治療は、欠損歯を補うために補綴物を顎骨に固定する歯科治療法であり、ブリッジを用いて隣接歯などに固定するデンチャー（入れ歯）治療に比べて、補綴物をより強固に支持することができる。ここで、補綴物とは、金属やセラミック等からなる天然歯の代用物であり、図１に示した補綴物１は、欠損歯を補うために使用される部分的ではない補綴物であり、このような補綴物はその形状から特に補綴冠と呼ばれている。
【００１７】
歯科インプラント５は、補綴物１が装着されるアバットメント２と、歯槽骨に固定されるフィクスチャー３により構成され、いずれもチタンなどの金属材料の鋳造や削出加工によって製造される。
【００１８】
フィクスチャー３は略円柱形状からなり、その一端３１を歯槽骨の穿孔に挿入することによって歯槽骨に固定され、その他端がアバットメント２を着脱可能に取り付けるための基端部３２となる。フィクスチャー３の側面３３にはネジ溝が形成されており、歯槽骨の穿孔へ挿入する際、フィクスチャー３は雄ネジとして螺入される。また、基端部３２には、アバットメント２を係合させるための係合穴３４が穿設されている。この係合穴３４は、フィクスチャー３の軸方向に形成されており、その内面にネジ溝が形成された雌ネジ穴である。
【００１９】
アバットメント２は、補綴物１が装着される装着部２１と、歯肉厚に対応させたカフ部２２と、フィクスチャー３と係合させる係合部２３とにより構成される。装着部２１は、略円錐台の形状からなり、必要に応じて歯科医師により研削が行われた後、補綴物１が接着され、あるいは、嵌着される。カフ部２２は、略円柱形状からなり、その高さは欠損部の歯肉厚に一致させている。一般に、アバットメント２は、カフ部２２の高さが異なる複数種類のものが提供されている。例えば０．５ｍｍ単位でカフ高さの異なるアバットメントが提供されており、歯科医師は、アバットメント２を取り付ける際、歯肉厚に応じたカフ高さを有するアバットメント２を選択して使用する。係合部２３は、フィクスチャー３の係合穴３４に螺入して、アバットメント２をフィクスチャー３に着脱可能に係合させる雄ネジからなる。
【００２０】
コーティング部２４は、光触媒を含む被膜が形成された上記アバットメント２の外面の一部又は全部である。ここでは、装着部２１内のカフ部２２に隣接する領域であって、幅が１ｍｍ以上のアバットメント２の全周に渡る領域がコーティング部２４となっている。このコーティング部２４には、アパタイトにより被覆された酸化チタンを含む被膜が形成されており、コーティング２４に光を照射すれば、光触媒としての酸化チタンの作用によって、被膜に吸着された歯垢などの有機物を分解することができる。
【００２１】
図２の（ａ）〜（ｄ）は、歯科インプラント治療の様子を順に示した説明図である。まず、欠損部の歯肉７を切開して歯槽骨を露出させる。図中の（ａ）は、隣接する３個の欠損歯に対し歯科インプラント治療を行うために歯肉７を切開している様子が示されている。なお、図中の８は歯肉縁、つまり、歯肉７の表面を覆っている粘膜を指している。
【００２２】
図中の（ｂ）では、３個の穿孔が形成され、フィクスチャーが挿入される様子が示されている。歯肉切開によって露出させた歯槽骨９に対してドリリングを行って穿孔４が形成され、各穿孔４にフィクスチャー３がそれぞれ挿入される。このとき、各穿孔４の深さはフィクスチャー３の長さに一致させ、フィクスチャー３の基端部３２が歯槽骨９の表面に一致するようにフィクスチャー３が埋設される。この様にしてフィクスチャー３が埋設された後は、歯肉７の縫合が行われる。１回法の場合には、図示しないヒーリングアバットメントをフィクスチャーの係合穴３４に係合させ、このヒーリングアバットメントを歯肉縁８上に露出させた状態で、歯肉７の縫合が行われる。一方、２回法の場合には、図示しないカバースクリューをフィクスチャーの係合穴３４に係合させ、カバースクリューを覆うように歯肉７が完全に縫合される。
【００２３】
図中の（ｃ）では、各フィクスチャー３にアバットメント２が係合された状態が示されている。１回法の場合には、ヒーリングアバットメントを取り外した後に、２回法の場合には、歯肉７を再び切開してカバースクリューを取り外した後に、露出しているフィクスチャー３の係合穴３４にアバットメント２の係合部２３を螺入して、アバットメント２が取り付けられる。その際、歯肉厚を測定して、歯肉厚に応じたアバットメント２が選択される。
【００２４】
図中の（ｄ）では、各アバットメント２に補綴物１がそれぞれ装着された様子が示されている。アバットメント２は、装着部２１及びカフ部２２の境界を歯肉縁に一致させ、装着部２１のみが歯肉縁から突出させた状態となっている。この装着部２１に補綴物１が装着される。
【００２５】
図３は、図１の歯科インプラント５を用いて行った治療後の様子を示した断面図である。フィクスチャー３は、その基端部３２を歯槽骨９の表面に一致させるように歯槽骨９に埋設させている。フィクスチャー３の一部を歯槽骨９から突出させた場合、フィクスチャー３の軸に交差する方向の力が加えられると、歯槽骨９の表面に応力が集中し、歯槽骨９に過大な負荷を与えるおそれがある。このような応力集中を回避するため、フィクスチャー３は歯槽骨９内に埋没させておく必要がある。その一方で、係合穴３４は開口させておく必要があり、ここでは、フィクスチャー３の基端部３２を歯槽骨９の表面に一致させている。
【００２６】
アバットメント２は、その係合部２３を係合穴３４に螺入させ、アバットメント２の当接面（ここではカフ部２２の下面）を基端部３２に当接させた状態でフィクスチャー３に係合される。ここで、アバットメント２は、カフ高さが歯肉厚に一致するものが使用されるため、装着部２１及びカフ部２２の境界が、歯肉縁８に一致することになる。従って、アバットメント２のコーティング部２４は、歯肉縁８から突出しているアバットメント２のすそ部分、つまり、歯肉縁８からはじまって補綴物１側へ延びる領域であって、所定幅を有する領域となる。
【００２７】
補綴物１は、アバットメント２の装着部２１に装着されるが、装着部２１の全体を補綴物１により覆うことは容易ではなく、補綴物１と歯肉縁８の間に隙間が生じ、この隙間からアバットメント２の外面、つまり、装着部２１の一部が露出する。特に、装着部２１と係合部２３の軸方向を異ならせたアングルドアバットメントの場合には、上記隙間が生じ易い。この様な隙間は、歯垢が蓄積しやすい不潔域となるため、本発明の実施の形態によるアバットメント２では、この露出部にコーティング部２４が形成されている。
【００２８】
なお、装着部２１及びカフ部２２の境界が歯肉縁８に完全には一致していない場合や、治療後に歯肉厚が減少するような場合も考慮すれば、上記境界から始まってカフ部２２側へ延びる所定幅の領域も上記コーティング部２４に含めておくことが更に望ましい。また、装着部２１及びカフ部２２の境界が明確ではないアバットメント２であっても、歯肉縁８に相当する位置を予め把握することができれば、その位置を基準として同様のコーティング部２４を形成すればよい。
【００２９】
次に、コーティング部２４に形成された被膜について更に説明する。この被膜には、ハイドロオキシアパタイトによって被覆された粉末状の二酸化チタンが含まれている。
【００３０】
二酸化チタンは、光を照射すれば活性酸素を生成して有機物を分解する光触媒として知られている。活性酸素は、白血球が細菌内に侵入する際にも用いられており、有機物に対して強力な分解作用を発揮する。このため、コーティング部２４に二酸化チタンを含む被膜を形成すれば、光照射時の二酸化チタン表面にＯ−、Ｏ２−又はＯ３−などの活性酸素が生成され、コーティング部２４に付着した細菌を強力に分解することができる。
【００３１】
特に、種々の細菌の集合体（細菌塊）の生化学反応によって生成され、当該細菌塊を取り囲んでいる膜（いわゆるバイオフィルム）は、抗菌剤が効きにくいとされているが、光触媒作用で生成される活性酸素を用いることによって、このようなバイオフィルムも分解することができ、さらに、細菌が産出した毒素も分解することができる。
【００３２】
一方、アパタイトは、細菌やウイルスなどのタンパク質の吸着性に優れてている。このため、粉末状の二酸化チタンをアパタイトで被覆すれば、有機物質や細菌を吸着して分解することができるとともに、光触媒作用によって生成される活性酸素によって引き起こされるアバットメント２の母材の劣化や、生体への悪影響を抑制することができる。つまり、アパタイト被覆二酸化チタンは、このような両者の利点を兼ね備えた材料であり、既に市販されている。
【００３３】
特に、歯や骨の主成分として知られているハイドロオキシアパタイト（ＨＡ）は、生体親和性についても優れているため、コーティング部２４の被膜には、ハイドロキシアパタイト（ＨＡ）で被覆した二酸化チタンを含有させておくことが望ましい。ただし、このハイドロオキシアパタイト（ＨＡ）は比較的脆い材料であるため、フッ化して硬くすることによって、耐食性や耐摩耗性も向上させることができる。つまり、コーティング部２４の被膜には、フッ化ハイドロオキシアパタイト（ＦＨＡ）で被覆された二酸化チタンを含有させることが最も望ましい。なお、本明細書におけるアパタイト被覆チタンには、ＨＡ被覆チタンやＦＨＡ被覆チタンが含まれるものとする。
【００３４】
例えば、リン酸カルシウム及び塩化カルシウムを溶かしたｐＨ７．０〜７．８の溶液に、フッ化ナトリウムを添加すれば、フッ化ハイドロオキシアパタイトの溶液が生成される。この溶液に二酸化チタンの粉末を添加すれば、固形物が浮き上がる。この固形物が、フッ化ハイドロオキシアパタイトで被覆された二酸化チタン（ＦＨＡ被覆二酸化チタン）であり、この固形物を溶液から分離すればＦＨＡ被覆二酸化チタンが得られる。
【００３５】
アパタイト被覆チタンのアバットメント２へのコーティングは、金属チタンにアパタイトをコーティングする従来のコーティング方法と同様にして行うことができる。例えば、コーティング後に熱処理を行って製膜する熱分解法、プラズマ溶射したα−ＴＣＰを水熱処理してアパタイトに変化させる水熱処理再結晶化、３００℃程度のプラズマ炎にアパタイト原料を投入して吹き付けるフレーム溶射法、１００００℃以上の超高温かつ超高速で吹き付けるプラズマ溶射法などの製膜方法が知られている。
【００３６】
図４は、本発明による歯科インプラントを使用している患者に好適な歯ブラシ６の一例を示した図である。図中の（ａ）は、歯ブラシ６の断面図であり、（ｂ）は植毛部６３を正面にした外観図である。この歯ブラシ６は、ブラッシングを行うのと同時に、アバットメント２のコーティング部２４へ光を照射して、二酸化チタンの光触媒作用を利用した殺菌作用を生じさせるものである。
【００３７】
この歯ブラシ６は、手で握るためのハンドル部６０と、ハンドル部６０から延びる細長い柄部６１と、柄部６１の先端に設けられたヘッド部６２によって構成される。ヘッド部６２は、多数のブラシ毛６４が植毛された植毛面としての植毛部６３を有している。
【００３８】
ハンドル部６０は、光源装置６６及びバイブレーション装置６９を内蔵している。光源装置６６は、アバットメント２のコーティング部２４への照射光を生成する回路であり、光源素子として小型軽量であるＬＥＤ（Light Emitting Diode）が用いられている。バイブレーション装置６９は、歯ブラシ６を電動歯ブラシとして使用するためにヘッド部６２を振動させる駆動回路であり、電動モータが用いられている。
【００３９】
光源装置６６で生成された光は、柄部６１内の導光部６７を通ってヘッド部６２へ導かれ、出光部６８から出射される。ここでは、導光部６７が柄部６１内の中空部であり、出光部６８は植毛部６３の中央に形成された開口部であるものとする。なお、導光部６７は、柄部６１内に埋め込まれた光ファイバーにより構成することもできる。また、導光部６７を中空部とする場合には、その内面にアルミなどの高反射率膜を蒸着したり、屈曲部に反射鏡を配置しておくことが望ましい。
【００４０】
光源装置６６は、コーティング部２４の被膜に含まれているアパタイト被覆二酸化チタンに応じた波長の光を生成する必要がある。活性酸素は、励起電子と正孔の作用によって生成されるため、二酸化チタンの励起エネルギーに相当する波長以下の光を照射することが必要があり、高純度の酸化チタンの場合、波長３８０ｎｍ以下の紫外線が必要となる。この場合、例えば、波長３７０ｎｍの紫外光を生成する窒化インジウムガリウム（ＧａＩｎＮ）を用いたＬＥＤを使用することができる。
【００４１】
ここで、酸化チタンは、少量の不純物をドーピングすることによって、より長い波長の光でも光触媒作用が生じるようになる。例えば、クロム、バナジウム、マンガン、鉄、ニッケルなどのチタン以外の金属イオンをドーピングすれば、可視光領域（３８０ｎｍ〜７８０ｎｍ）の光で光触媒作用を生じさせることができる。また、二酸化チタンに窒素をドーピングすることによっても、可視光領域の光で光触媒作用を生じさせることができる。例えば波長５５０ｎｍ以下の光で光触媒作用を生じさせる不純物添加二酸化チタンが既に市販されており、このような不純物添加二酸化チタンがコーティング部２４の被膜に含まれている場合、波長３８０ｎｍ〜５５０ｎｍの可視光を照射すれば殺菌効果が得られる。つまり、歯ブラシ６の光源装置６６には、青色（波長４５０ｎｍ）や緑色（波長５２５ｎｍ）の光を生成するＧａＩｎＮを用いたＬＥＤを使用することができる。この様にして紫外線ではなく可視光を照射する歯ブラシ６であれば、使用者は安心して使用することができる。
【００４２】
なお、ブラシ毛６４は消耗品であるため、ヘッド部６２は交換可能に構成されていることが望ましい。図示した歯ブラシ６は、一体成形されている柄部６１及びヘッド部６２が、ハンドル部６０に対して着脱可能に取付けられており、柄部６１及びヘッド部６２のみを交換することができる。また、ヘッド部６２が柄部６１に着脱可能に取り付けられ、ヘッド部６２のみを交換可能とすることもできる。
【００４３】
図５は、図４の歯ブラシ６の使用時における様子を示した図である。補綴物１と歯肉縁８の隙間付近には凹部が形成されているため、歯垢が付着し易い。また、この隙間部には歯ブラシ６のブラシ毛６４が届きにくいことから、歯垢が蓄積されやすい不潔域となる。本発明による歯科インプラントを使用している場合、上記隙間からアバットメント２のコーティング部２４が露出しているため、アパタイト被覆二酸化チタンの光触媒作用を利用して、上記隙間部の殺菌を行うことができる。
【００４４】
ここで、ブラシ毛６４が上記隙間部に届きにくい理由は、補綴物１や歯肉縁８に当接して毛先が外側に曲がるためである。これに対して、ヘッド部６２から出射した光は直進するため、ヘッド部６２の向きが適切であれば、上記隙間に光を照射することができる。特に、ブラシ毛６４の毛先は、その揺動方向、つまり、ヘッド部６２の短手方向に曲がりやすいため、出光部６８を植毛部６３上で短手方向の中央に配置すれば、曲がった毛先によって出射光が遮られないようにすることができる。
【００４５】
図６は、本発明の実施の形態による歯科インプラントの他の構成例を示した断面図である。この歯科インプラントでは、アバットメント２が雄ネジとしての係合部２３を有さず、アバットメント２内部を軸方向に貫通する係合穴２５が形成されている。この係合穴２５は、フィクスチャー３の係合穴３４と同軸かつ同径の雌ネジ穴であり、これらの係合穴２５及び３４に、雄ネジとしてのロックスクリュー１０を連通させることによって、アバットメント２及びフィクスチャー３を係合させている。
【００４６】
また、補綴物１は、その頭頂部に貫通穴１１を有しているが、この貫通穴１１は、樹脂などの封止物１２を充填して封止されている。この歯科インプラントの場合、この封止物１２を除去すれば、補綴物１の取付け後であっても、貫通穴１１からロックスクリュー１０にアクセスすることができ、貫通穴１１を介してロックスクリュー１０を挿抜させることができる。
【００４７】
なお、コーティング部２４は、補綴物１及び歯肉縁８の隙間から露出する可能性のあるアバットメント２の外面全てに形成されていることが望ましいが、本発明は、必ずしもこのような場合には限定されない。すなわち、コーティング部２４は、上記隙間から実際に露出し、あるいは、露出する可能性のあるアバットメント２の外面の少なくとも一部に形成されていればよい。
【００４８】
また、アバットメント２の装着部２１のうち、補綴冠１の内面が当接する部分には、コーティング部２４が形成されていないことが望ましい。特に、補綴冠１をパッシブフィットさせている場合、つまり、補綴冠１の内面と装着部２１の外面とを密着させることによって、補綴冠１の位置決めを行っている場合、実際に補綴冠１の内面が密着する部分には、コーティング部２４が形成されていないことが望ましい。
【００４９】
また、最近、アバットメント２の母材としてチタンを使用した場合であっても、フッ素などの影響を受けて、アバットメント２が劣化することが報告されている。本発明による歯科インプラント５は、コーティング部２４が、補綴冠１及び歯肉縁８の隙間から露出しているアバットメント２の外面を保護する保護膜として機能するため、このようなアバットメント２の母材の劣化防止にも有効である。
【図面の簡単な説明】
【００５０】
【図１】本発明の実施の形態による歯科インプラントを含む歯科治療具の一例を示した図である。
【図２】歯科インプラント治療の様子を順に示した説明図である。
【図３】図１の歯科インプラントを用いて行った治療後の様子を示した断面図である。
【図４】本発明による歯科インプラントを使用している患者に好適な歯ブラシ６の一例を示した図である。
【図５】図４の歯ブラシ６の使用時における様子を示した図である。
【図６】本発明の実施の形態による歯科インプラントの他の構成例を示した断面図である。
【符号の説明】
【００５１】
１    補綴物
１０  ロックスクリュー
１１  貫通穴
１２  封止物
２    アバットメント
２１  装着部
２２  カフ部
２３  係合部
２４  コーティング部
２５  係合穴
３    フィクスチャー
３１，３２  端部
３３  側面
３４  係合穴
５    歯科インプラント
６    歯ブラシ
７    歯肉
８    歯肉縁
９    歯槽骨
６０  ハンドル部
６１  柄部
６２  ヘッド部
６３  植毛部
６４  ブラシ毛
６６  光源装置
６７  導光部
６８  出光部
【図１】
2007098054.tif 000003
【図２】
2007098054.tif 000004
【図３】
2007098054.tif 000005
【図４】
2007098054.tif 000006
【図５】
2007098054.tif 000007
【図６】
2007098054.tif 000008
【手続補正書】
【提出日】平成18年5月11日(2006.5.11)
【手続補正１】
【補正対象書類名】特許請求の範囲
【補正対象項目名】全文
【補正方法】変更
【補正の内容】
【特許請求の範囲】
【請求項１】
歯槽骨の穿孔に挿入され、歯肉縁下に埋設されるフィクスチャーと、
上記フィクスチャーに固着され、歯肉縁上で歯科補綴冠を支持するアバットメントとを備え、
ハイドロキシアパタイトにより被覆された酸化チタンの粉末を含む被膜が、上記歯肉縁及び上記歯科補綴冠の間に位置する上記アバットメントの外面の一部又は全部に形成されているとともに、上記歯科補綴冠の内面を密着させる上記アバットメントの外面には形成されていないことを特徴とする歯科インプラント。
【請求項２】
歯肉縁下に埋設される歯科インプラント用フィクスチャーに係合させるフィクスチャー係合部と、
歯科補綴冠が装着される歯肉縁上の補綴冠装着部とを備え、
ハイドロキシアパタイトにより被覆された酸化チタンの粉末を含む被膜が、上記補綴冠装着部の外面であって、上記歯科補綴冠の内面を密着させる密着部を含まず、かつ、上記歯肉縁及び上記歯科補綴冠の間に位置する領域の一部又は全部に形成されていることを特徴とする歯科インプラント用アバットメント。
【請求項３】
上記ハイドロキシアパタイトが、フッ化ハイドロキシアパタイトであることを特徴とする請求項２に記載の歯科インプラント用アバットメント。
【手続補正２】
【補正対象書類名】明細書
【補正対象項目名】００１１
【補正方法】変更
【補正の内容】
【００１１】
本発明による歯科インプラントは、歯槽骨の穿孔に挿入され、歯肉縁下に埋設されるフィクスチャーと、上記フィクスチャーに固着され、歯肉縁上で歯科補綴冠を支持するアバットメントとを備え、ハイドロキシアパタイトにより被覆された酸化チタンの粉末を含む被膜が、上記歯肉縁及び上記歯科補綴冠の間に位置する上記アバットメントの外面の一部又は全部に形成されているとともに、上記歯科補綴冠の内面を密着させる上記アバットメントの外面には形成されていないように構成される。このような構成によって、歯垢が蓄積されやすい歯肉縁及び歯科補綴冠の隙間に光触媒作用をもたせることができ、例えば、歯ブラシの植毛部に出光部を有する歯ブラシを用いてブラッシングを行えば、不潔部である上記隙間部を通常の日常生活において容易に殺菌することができる。
【手続補正３】
【補正対象書類名】明細書
【補正対象項目名】００１２
【補正方法】変更
【補正の内容】
【００１２】
また、本発明による歯科インプラント用アバットメントは、歯肉縁下に埋設される歯科インプラント用フィクスチャーに係合させるフィクスチャー係合部と、歯科補綴冠が装着される歯肉縁上の補綴冠装着部とを備え、ハイドロキシアパタイトにより被覆された酸化チタンの粉末を含む被膜が、上記補綴冠装着部の外面であって、上記歯科補綴冠の内面を密着させる密着部を含まず、かつ、上記歯肉縁及び上記歯科補綴冠の間に位置する領域の一部又は全部に形成されている。